(57)【要約】 【課題】本発明は、屋内のトイレなどの禁煙とされている場所で喫煙をした場合に喫煙を感知し、自動的に喫煙を抑制する手段を有する装置を提供する。【解決手段】禁煙の場所で喫煙する者がいた場合に煙センサで喫煙を検知し、信号処理回路の出力で噴霧器を作動させて、喫煙者に霧吹きを行うことにより、喫煙を抑制する。【選択図】図１
2007219970.tif 000002
【特許請求の範囲】
【請求項１】
自動的に喫煙を検知する喫煙検知手段と該喫煙検知信号を処理して出力する喫煙信号処理手段と該喫煙信号処理手段によって出力された信号によって自動的に霧を発生する喫煙抑制実行手段を有することを特徴とする喫煙抑制装置。
【請求項２】
前記喫煙検知手段は喫煙により発生する煙を検知する煙センサ、喫煙により発生する臭いを検知する臭いセンサ、喫煙に使用するライターやマッチの炎を検知する炎センサ、あるいは赤外線センサの内の少なくとも１つを有することを特徴とする請求項１に記載の喫煙抑制装置。
【請求項３】
前記喫煙抑制実行手段は警告光を放射する警告光放射手段及び警告音を発生する警告音発生手段及び表示文字を点滅させる表示文字点滅手段の少なくとも１つを有することを特徴とする請求項２に記載の喫煙抑制装置。
【請求項４】
喫煙抑制装置の付近に人がいる期間だけ、喫煙抑制装置に電力を供給するための人センサを有することを特徴とする請求項１〜３のいずれかに記載の喫煙抑制装置。
【発明の詳細な説明】
【技術分野】
【０００１】
本発明は、禁煙とされている場所において喫煙を抑制する装置に関するものである。
【背景技術】
【０００２】
従来の技術としては、特開平１−３０７８９９公報（特許文献１）に記載されているものが知られている。この禁煙警告装置は、たばこの煙を感知する煙感知部と音声出力部とからなり、煙感知部が作動したとき音声出力部が音声を発することによって喫煙者に警告するように構成した喫煙警告装置を提供するものである。
【０００３】
この喫煙警告装置を壁や天井に設置しておき、煙感知器が作動したときに音声出力部が自動的に音声を発生して喫煙者に警告するもので、煙感知部は光方式や煙の粒子を帯電させる方式や煙に含まれるガスを検出する方式がある。また音声発生手段としては、磁気テープで再生する方式、半導体メモリに記憶させたデータを基に音声を合成する方式などがある。また、特開平８−１３８１５２号公報（特許文献２）に記載されている禁煙報知器では、禁煙場所での喫煙者に音声により禁煙を呼び掛けるものであり、この装置は炎が発する特定波長の赤外線を感知する炎センサを有する炎検出手段と、この炎検出手段により炎が検出されたときに禁煙を呼び掛ける音声を発声する音声発声手段とを有する、禁煙を呼び掛ける禁煙報知器である。
【０００４】
また、特開２０００−７５８２７号公報（特許文献３）に記載されている禁煙表示器では、喫煙を感知して喫煙場所であることを示すために、「禁煙」と書かれた看板や点滅ランプなどの表示や警告によって告知するものである。さらに、特開２００２−２５１６８２号公報（特許文献４）に記載の喫煙感知器は、喫煙を感知する喫煙感知素子を備える喫煙感知器において、喫煙感知に対する妨害行為を検出する妨害行為検出手段と、妨害行為検出手段によって妨害を検出したとき、及び喫煙感知素子により喫煙を感知したときのいずれか一方の場合に警報を出力する警報出力手段を備えた喫煙感知器である。
【０００５】
【特許文献１】特開平１−３０７８９９号公報
【特許文献２】特開平８−１３８１５２号公報
【特許文献３】特開２０００−７５８２７号公報
【特許文献４】特開２００２−２５１６８２号公報
【発明の開示】
【発明が解決しようとする課題】
【０００６】
以上にのべたように従来の禁煙表示器、あるいは禁煙報知器では、禁煙の場所において喫煙する人がいると喫煙感知器が喫煙を感知し、音声出力部が音声を発生することにより喫煙している人にその場所が禁煙場所であることを警告するものである。また、喫煙表示器では、喫煙を感知して喫煙場所であることを示すために「禁煙」と書かれた看板や点滅ランプなどの表示や警告によって告知する。さらに、喫煙感知器では、喫煙感知に対する妨害行為を検出したとき、及び喫煙感知素子により喫煙を感知したときのいずれか一方の場合に警報を出力するものである。
【０００７】
しかしながら、屋内のトイレなどで周りが無人であるような場合は、このような音声による禁煙の警告や、喫煙の表示文字の告知、あるいは禁煙の警報を行っても、結局は喫煙者本人の注意力やマナーに頼る要素が強く、喫煙の防止には有効ではなかった。また屋内のトイレや火気厳禁の危険な場所のように目が届かない個室で喫煙を抑制するためには警備員が巡回して監視せざるをえないが、警備員による巡回という手段は経費がかかるという問題があり、より有効な喫煙抑制装置が必要であった。従って、本発明の課題は禁煙とされている無人の場所で喫煙する人がいた場合に喫煙を感知して自動的に喫煙の警告と抑制を効果的に行う装置を提供することにある。  
【課題を解決するための手段】
【０００８】
上記課題を解決するために本発明は、喫煙を自動的に検知する手段と信号を処理する手段、及び自動的に霧吹きを行って喫煙を抑制する手段を具備するものである。
【発明の効果】
【０００９】
本発明によれば、禁煙の場所において喫煙した場合、自動的な喫煙の検知と信号処理を行い、そして噴霧器を動作させて霧吹きを行い、強制的に喫煙の警告や抑制を行うことが可能になる。
【発明を実施するための最良の形態】
【００１０】
＜＜実施形態１＞＞
＜実施形態１の概念＞
喫煙を自動的に検出し、喫煙者に霧吹きを行い、喫煙の強制的な警告又は抑制を行う。
＜実施形態１の構成＞
図１は、本実施の形態１に係る喫煙抑制装置のブロック図である。図１において、自動的に喫煙を検知する喫煙検知手段と該喫煙検知信号を処理して出力する喫煙信号処理手段と該喫煙信号処理手段によって出力された信号によって自動的に霧を発生する喫煙抑制実行手段を具備する。
＜手段１＞
【００１１】
図1の０１は、喫煙を検知するセンサであり、煙センサにより実現され得る。
＜手段２＞
図1の０２と０３は、喫煙検知信号の処理と信号出力の制御を行う。０２と０３は各々、信号処理回路と信号出力回路により実現され得る。
＜手段３＞
図1の０４は喫煙者に霧吹きを行い、強制的に喫煙を抑制する。０４は噴霧器により実現され得る。
＜具体的機能ブロック図に基づく説明＞
【００１２】
以下、本実施の形態１における喫煙抑制装置の具体的な動作について図１を用いて説明する。
１）０１の喫煙センサを用いて喫煙者の喫煙を自動的に検知して、出力を制御部に送る。
２）制御部では、０２の信号処理回路で０３の信号出力回路を駆動させるために必要な信
号に変換する。
３）０３の信号出力回路では、マイコンを用いて０４の噴霧器へ動作指令を出し、噴霧器
の動作開始や動作終了等の制御を行う。
４）０４の噴霧器は、０３の信号出力回路の動作指令により電磁弁を開いて、適当な圧力
に加圧した貯水タンクから電磁弁を介して霧吹きを行い、喫煙者の喫煙を抑制する。
【００１３】
以上、本実施の形態１によれば、喫煙検知センサと信号処置回路及び噴霧器を有する喫煙抑制装置により、禁煙場所での喫煙者の喫煙を抑制できる。
＜応用例＞
【００１４】
なお、本実施の形態１において、０１の喫煙センサは煙センサ、炎センサ、赤外線センサ、臭いセンサなどでもよい。噴霧器は霧吹き器や霧状の水を吹き付ける装置でもよく、上記と同様の効果がある。また、噴霧器はスプレーのりや塗料などの水溶物を吹き付ける装置でもよく、喫煙を抑制する効果がある。なお、制御部ではマイコンを用いて信号出力を行ったが、マイコンの代わりに適当な電子回路でもよい。
＜実施形態１の処理の流れ＞
【００１５】
次に、本実施の形態１における喫煙抑制装置の動作について図２のフローチャートを用いて説明する。喫煙センサを用いて喫煙者の喫煙を検知すると、喫煙検知信号を信号処理回路へ送る。信号処理回路では該喫煙検知信号を処理して、噴霧器を駆動させるために必要な信号に変換し、その出力信号により噴霧器を駆動する。
＜実施形態１の効果の簡単な説明＞
【００１６】
本実施の形態１を利用すれば禁煙場所での喫煙者に対して霧吹きを行うことで喫煙者の喫煙を有効に抑制できる効果がある。
【００１７】
＜＜実施形態２＞＞
＜実施形態２の概念＞
喫煙者に自動的に霧吹きを行うと共に警告光や警告音、あるいは表示文字の点滅により、喫煙者に禁煙の強制的な警告や抑制を行う。
＜実施形態２の構成＞
【００１８】
図３は、本実施の形態２に係る喫煙抑制装置のブロック図である。喫煙抑制装置は実施の形態１と同様の噴霧器を有し、これに加えて警告光放射手段、警告音発生手段、表示文字点滅手段の少なくとも１つを具備する。
＜構成要件１＞
【００１９】
定義：警告光を放射する警告光放射器
作用：禁煙場所での喫煙を喫煙者に対して視覚による警告行う。
具体例：喫煙を検知するとマイコンの制御により信号出力回路を動作させて、噴霧器により霧吹きを行って喫煙を抑制すると共にマイコンの制御により、ランプあるいは発光ダイオード等の光の放射によって、喫煙者に対して視覚による警告を行う。
他の構成要件との関連性：噴霧器による霧吹きと併用することで、より強い警告を行うことができる。
＜構成要件２＞
【００２０】
定義：警告音を発生する警告音発生器
作用：禁煙場所での喫煙を喫煙者に対して聴覚による警告を行う。
具体例：喫煙を検知するとマイコンの制御により信号出力回路を動作させて、噴霧器により霧吹きを行って喫煙を抑制すると共にマイコンの制御により、警告音、又は音声を録音したものを再生して喫煙者に対して聴覚による警告を行う。
他の構成要件との関連性：噴霧器による霧吹きと併用することで、より強い警告を行うことができる。
＜構成要件３＞
【００２１】
定義：警告文字を点滅させる表示文字点滅器
作用：禁煙場所での喫煙を喫煙者に対して視覚による警告行う。
具体例：喫煙を検知するとマイコンの制御により信号出力回路を動作させて、噴霧器により霧吹きを行って喫煙を抑制すると共に、予め禁煙場所であることを警告している警告文字を点滅させることで、喫煙者に対して視覚による警告を行う。
他の構成要件との関連性：噴霧器による霧吹きと併用することで、より強い警告を行うことができる。
【００２２】
＜具体的機能ブロック図に基づく説明＞
以下、本実施の形態２における喫煙抑制装置の具体的な動作について図３を用いて説明する。
１）０１の喫煙センサを用いて喫煙者の喫煙を自動的に検知して、出力を制御部に送る。
２）制御部では、０２信号処理回路で０３の信号出力回路を駆動させるために必要な信号
に変換する。
３）０３の信号出力回路では、マイコンを用いて０５の警告光放射器や０６の警告音発生
器、あるいは０７の表示文字点滅器に動作指令を出す。
【００２３】
以上、本実施の形態２によれば、喫煙検知センサと信号処置回路と噴霧器に加えて、警告光を放射する警告光放射手段、警告音を発生する警告音発生手段、表示文字を点滅させる表示文字点滅手段の少なくとも1つを有する喫煙抑制装置により、禁煙場所での喫煙者に対して、有効な警告や抑制を行うことができる。
＜実施形態２の処理の流れ＞
【００２４】
次に、本実施の形態２における喫煙抑制装置の動作について、図４のフローチャートを用いて説明する。喫煙センサを用いて喫煙者の喫煙を検知し、出力を制御部の信号処理回路へ送る。信号処理回路で、警告光放射器、警告音発生器、あるいは表示文字点滅器を駆動させるために必要な信号へと変換する。その出力信号により各警報器を動作させる。
＜実施形態２の効果の簡単な説明＞
【００２５】
本実施形態２を利用すれば、禁煙場所での喫煙者の視覚又は聴覚に対して警告を行うことができ、有効に喫煙を抑制できる。
【産業上の利用可能性】
【００２６】
本願発明は、禁煙場所における喫煙者の喫煙抑制装置として有用である。
【図面の簡単な説明】
【００２７】
【図１】図１は喫煙抑制装置の請求項１及び２に対するブロック図
【図２】図２は喫煙抑制装置の請求項１及び２に対する動作フローチャート図
【図３】図３は喫煙抑制装置の請求項３に対するブロック図
【図４】図４は喫煙抑制装置の請求項３に対する動作フローチャート図
【符号の説明】
【００２８】
０１喫煙センサ
０２信号処理回路
０３信号出力回路
０４噴霧器
０５警告光放射器
０６警告音発生器
０７表示文字点滅器
【図１】
2007219970.tif 000003
【図２】
2007219970.tif 000004
【図３】
2007219970.tif 000005
【図４】
2007219970.tif 000006